(57)【要約】【課題】再生楽曲が変わる度にユーザが音楽ジャンルを選択しなくても、再生楽曲の音楽ジャンルに適した音質補正が自動的にできる。【解決手段】コントロール部８Ａは音楽ジャンル別の音質補正データを内部メモリ９Ａに記憶している。或る音楽ＣＤ１１がＣＤ再生部２にセットされると、ＴＯＣ情報を読み取らせ、該ＴＯＣ情報から所定の演算によりＣＤ固有の識別情報を作成する。そして、該識別情報を検索キーとして、公衆ネットワーク上に設置された楽曲案内情報データベースサーバ２１に対してＣＤ１１の各楽曲の音楽ジャンルを検索する。ＣＤ再生部２に或る楽曲を再生させる際、コントロール部８Ａは再生楽曲について先に検索した音楽ジャンルに対応する最適な音質補正データを音質補正部１０に設定して音楽ジャンルに応じた音質補正を行わせる。【選択図】　　　　図１
2004071128.tif 000002
【特許請求の範囲】
【請求項１】
１または複数の楽曲の音楽信号と管理情報が記録された記録媒体から、管理情報を読み取ったり、音楽信号を読み取って再生出力する記録媒体再生手段と、
記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから記録媒体に記録された楽曲の楽曲案内情報を検索する検索手段と、
音楽信号に対し音質または音場補正を行う補正手段と、
音楽ジャンル別の最適な音質または音場の補正データを補正データ記憶手段に記憶しており、検索手段で検索した楽曲案内情報の音楽ジャンル情報を用いて、再生楽曲の音楽ジャンルに対応する音質または音場の補正データを読み出し、補正手段に設定して音質または音場の補正を行わせる制御手段と、
を備えたことを特徴とする再生装置。
【請求項２】
検索手段は、外部のネットワーク上に設置された楽曲案内情報データベースサーバに対して検索を実行するようにしたこと、
を特徴とする請求項１記載の再生装置。
【請求項３】
前記検索キーと楽曲案内情報を対応付けて記憶可能な楽曲案内情報データベース記憶手段を有し、検索手段は、最初に楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に登録するようにしたこと、
を特徴とする請求項１記載の再生装置。
【請求項４】
記録媒体から読み取った所定の情報から、記録媒体の固有の識別情報または記録媒体中の楽曲単位の固有の識別情報を作成する識別情報作成手段と、
記録媒体に記録された各楽曲の音楽ジャンルを含む楽曲案内情報の入力操作をする入力操作手段と、
入力操作手段で入力された楽曲案内情報を、識別情報作成手段で作成された識別情報と対応付けて楽曲案内情報データベース記憶手段に登録させる登録手段と、
を備えたことを特徴とする請求項１または３記載の再生装置。
【請求項５】
１または複数の楽曲の音楽信号と管理情報が記録された記録媒体から、管理情報と音楽信号を読み取る記録媒体読み取り手段と、
記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから検索キーに対応する楽曲案内情報を検索する検索手段と、
記録媒体から読み取られた音楽信号を他の記録媒体に記録し、この際、検索手段で検索した楽曲案内情報の音楽ジャンル情報を用いて、記録楽曲の音楽ジャンル情報を音楽信号に対応付けて一緒に記録する記録手段と、
を備えたことを特徴とする記録装置。
【請求項６】
検索手段は、外部のネットワーク上に設置された楽曲案内情報データベースサーバに対して検索を実行するようにしたこと、
を特徴とする請求項５記載の記録装置。
【請求項７】
前記検索キーと楽曲案内情報を対応付けて記憶可能な楽曲案内情報データベース記憶手段を有し、検索手段は、最初に楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に登録するようにしたこと、
を特徴とする請求項５記載の記録装置。
【請求項８】
記録媒体から読み取った所定の情報から、記録媒体の固有の識別情報または記録媒体中の楽曲単位の固有の識別情報を作成する識別情報作成手段と、
記録媒体に記録された各楽曲の音楽ジャンルを含む楽曲案内情報の入力操作をする入力操作手段と、
入力操作手段で入力された楽曲案内情報を、識別情報作成手段で作成された識別情報と対応付けて楽曲案内情報データベース記憶手段に登録させる登録手段と、
を備えたことを特徴とする請求項５または７記載の記録装置。
【請求項９】
楽曲単位で音楽信号が対応する音楽ジャンル情報とともに記録された前記他の記録媒体から、音楽信号と対応する音楽ジャンル情報を読み取り、再生出力する再生手段と、
音楽信号に対し音質または音場の補正を行う補正手段と、
音楽ジャンル別の最適な音質または音場の補正データを補正データ記憶手段に記憶しており、再生楽曲の音楽ジャンルに対応する音質または音場の補正データを読み出し、補正手段に設定して音質または音場の補正を行わせる制御手段と、
を備えたことを特徴とする請求項５記載の記録装置。
【請求項１０】
楽曲単位で音楽信号が対応する音楽ジャンル情報とともに記録された記録媒体から、音楽信号と対応する音楽ジャンル情報を読み取り、再生出力する再生手段と、
音楽信号に対し音質または音場の補正を行う補正手段と、
音楽ジャンル別の最適な音質または音場の補正データを補正データ記憶手段に記憶しており、再生楽曲の音楽ジャンルに対応する音質または音場の補正データを読み出し、補正手段に設定して音質または音場の補正を行わせる制御手段と、
を備えたことを特徴とする再生装置。
【請求項１１】
１または複数の楽曲の音楽信号が記録された記録媒体から、音楽信号を読み取る記録媒体読み取り手段と、
楽曲の音楽ジャンルの入力操作をする入力操作手段と、
記録媒体から読み取った音楽信号を他の記録媒体に記録し、この際、入力操作手段で入力された音楽ジャンル情報を音楽信号に対応付けて一緒に記録する記録手段と、
を備えたことを特徴とする記録装置。
【請求項１２】
楽曲単位で音楽信号が対応する音楽ジャンル情報とともに記録された前記他の記録媒体から、音楽信号と対応する音楽ジャンル情報を読み取り、再生出力する再生手段と、
音楽信号に対し音質または音場の補正を行う補正手段と、
音楽ジャンル別の最適な音質または音場の補正データを補正データ記憶手段に記憶しており、再生楽曲の音楽ジャンルに対応する音質または音場の補正データを読み出し、補正手段に設定して音質または音場の補正を行わせる制御手段と、
を備えたことを特徴とする請求項１１記載の記録装置。
【請求項１３】
１または複数の楽曲の音楽信号と管理情報が記録された記録媒体から、管理情報を読み取ったり、音楽信号を読み取る処理と、
記録媒体から読み取った所定の情報から記録媒体の固有の識別情報または記録媒体中の楽曲単位の固有の識別情報を作成し、該識別情報を検索キーとして、音楽ジャンルを含む楽曲案内情報データベースから記録媒体に記録された楽曲の楽曲案内情報を検索する処理と、
記録媒体から読み取った音楽信号を再生出力させ、この際、音楽ジャンル別に定められた音質または音場の補正データに従い、先に検索した楽曲案内情報の音楽ジャンル情報を用いて、記録媒体中の再生楽曲の音楽ジャンルに対応する音質または音場の補正データに基づき音楽信号に対して音質または音場の補正をする処理と、
を行うようにしたことを特徴とするコンピュータプログラム。
【請求項１４】
検索処理では、外部のネットワーク上に設置された楽曲案内情報データベースサーバに対して検索を実行するようにしたこと、
を特徴とする請求項１３記載のコンピュータプログラム。
【請求項１５】
検索処理では、最初に、前記検索キーと楽曲案内情報を対応付けて記憶可能な楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に記憶するようにしたこと、
を特徴とする請求項１３記載のコンピュータプログラム。
【請求項１６】
記録媒体から読み取った所定の情報から、記録媒体の固有の識別情報または記録媒体中の楽曲単位の固有の識別情報を作成し、入力操作手段により入力された記録媒体に記録された各楽曲の音楽ジャンルを含む楽曲案内情報と、識別情報作成処理で作成した識別情報を対応付けて楽曲案内情報データベース記憶手段に登録させる処理を含むこと、
を特徴とする請求項１３または１５記載のコンピュータプログラム。
【請求項１７】
１または複数の楽曲の音楽信号と管理情報が記録された記録媒体から、管理情報を読み取ったり、音楽信号を読み取る処理と、
記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから検索キーに対応する楽曲案内情報を検索する処理と、
記録媒体から読み取った音楽信号を他の記録媒体に記録し、この際、先に検索した楽曲案内情報の音楽ジャンル情報を用いて、記録楽曲の音楽ジャンル情報を音楽データに対応付けて一緒に記録させる処理と、
を行うようにしたことを特徴とするコンピュータプログラム。
【請求項１８】
検索処理では、外部のネットワーク上に設置された楽曲案内情報データベースサーバに対して検索を実行するようにしたこと、
を特徴とする請求項１７記載のコンピュータプログラム。
【請求項１９】
検索処理では、最初に、前記検索キーと楽曲案内情報を対応付けて記憶可能な楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に記憶するようにしたこと、
を特徴とする請求項１７記載のコンピュータプログラム。
【請求項２０】
記録媒体から読み取った所定の情報から、記録媒体の固有の識別情報または記録媒体中の楽曲単位の固有の識別情報を作成し、入力操作手段により入力された記録媒体に記録された各楽曲の音楽ジャンルを含む楽曲案内情報と、識別情報作成処理で作成した識別情報を対応付けて楽曲案内情報データベース記憶手段に登録させる処理を含むこと、
を特徴とする請求項１７または１９記載のコンピュータプログラム。
【請求項２１】
楽曲単位で音楽信号が対応する音楽ジャンル情報とともに記録された前記他の記録媒体から、音楽信号と対応する音楽ジャンル情報を読み取る処理と、
前記他の記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、
を行うようにしたことを特徴とする請求項１７記載のコンピュータプログラム。
【請求項２２】
楽曲単位で音楽信号が対応する音楽ジャンル情報とともに記録された記録媒体から、音楽信号と対応する音楽ジャンル情報を読み取る処理と、
記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、
を行うようにしたことを特徴とするコンピュータプログラム。
【請求項２３】
１または複数の楽曲の音楽信号が記録された記録媒体から音楽信号を読み取る処理と、
記録媒体から読み取った音楽信号を他の記録媒体に記録し、この際、入力操作手段で入力された記録楽曲の音楽ジャンル情報を音楽信号に対応付けて一緒に記録する処理と、
を行うようにしたことを特徴とするコンピュータプログラム。
【請求項２４】
楽曲単位で音楽信号が対応する音楽ジャンル情報とともに記録された前記他の記録媒体から、音楽信号と対応する音楽ジャンル情報を読み取る処理と、
記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、
を行うようにしたことを特徴とする請求項２３記載のコンピュータプログラム。
【請求項２５】
１または複数の楽曲の音楽信号と管理情報が記録された記録媒体から、管理情報を読み取ったり、音楽信号を読み取る処理と、
記録媒体から読み取った所定の情報から記録媒体の固有の識別情報または記録媒体中の楽曲単位の固有の識別情報を作成し、該識別情報を検索キーとして、音楽ジャンルを含む楽曲案内情報データベースから記録媒体に記録された楽曲の楽曲案内情報を検索する処理と、
記録媒体から読み取った音楽信号を再生出力させ、この際、音楽ジャンル別に定められた音質または音場の補正データに従い、先に検索した楽曲案内情報の音楽ジャンル情報を用いて、記録媒体中の再生楽曲の音楽ジャンルに対応する音質または音場の補正データに基づき音楽信号に対して音質または音場の補正をする処理と、
を行うようにしたことを特徴とするコンピュータプログラムを記録した記憶媒体。
【請求項２６】
検索処理では、外部のネットワーク上に設置された楽曲案内情報データベースサーバに対して検索を実行するようにしたこと、
を特徴とする請求項２５記載のコンピュータプログラムを記録した記憶媒体。
【請求項２７】
検索処理では、最初に、前記検索キーと楽曲案内情報を対応付けて記憶可能な楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に記憶するようにしたこと、
を特徴とする請求項２５記載のコンピュータプログラムを記録した記憶媒体。
【請求項２８】
記録媒体から読み取った所定の情報から、記録媒体の固有の識別情報または記録媒体中の楽曲単位の固有の識別情報を作成し、入力操作手段により入力された記録媒体に記録された各楽曲の音楽ジャンルを含む楽曲案内情報と、識別情報作成処理で作成した識別情報を対応付けて楽曲案内情報データベース記憶手段に登録させる処理を含むこと、
を特徴とする請求項２５または２７記載のコンピュータプログラムを記録した記憶媒体。
【請求項２９】
１または複数の楽曲の音楽信号と管理情報が記録された記録媒体から、管理情報を読み取ったり、音楽信号を読み取る処理と、
記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから検索キーに対応する楽曲案内情報を検索する処理と、
記録媒体から読み取った音楽信号を他の記録媒体に記録し、この際、先に検索した楽曲案内情報の音楽ジャンル情報を用いて、記録楽曲の音楽ジャンルを音楽信号に対応付けて一緒に記録させる処理と、
を行うようにしたことを特徴とするコンピュータプログラムを記録した記憶媒体。
【請求項３０】
検索処理では、外部のネットワーク上に設置された楽曲案内情報データベースサーバに対して検索を実行するようにしたこと、
を特徴とする請求項２９記載のコンピュータプログラムを記録した記憶媒体。
【請求項３１】
検索処理では、最初に、前記検索キーと楽曲案内情報を対応付けて記憶可能な楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に記憶するようにしたこと、
を特徴とする請求項２９記載のコンピュータプログラムを記録した記憶媒体。
【請求項３２】
記録媒体から読み取った所定の情報から、記録媒体の固有の識別情報または記録媒体中の楽曲単位の固有の識別情報を作成し、入力操作手段により入力された記録媒体に記録された各楽曲の音楽ジャンルを含む楽曲案内情報と、識別情報作成処理で作成した識別情報を対応付けて楽曲案内情報データベース記憶手段に登録させる処理を含むこと、
を特徴とする請求項２９または３１記載のコンピュータプログラムを記録した記憶媒体。
【請求項３３】
楽曲単位で音楽信号が対応する音楽ジャンル情報とともに記録された前記他の記録媒体から、音楽信号と対応する音楽ジャンル情報を読み取る処理と、
前記他の記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、
を行うようにしたことを特徴とする請求項２９記載のコンピュータプログラムを記録した記憶媒体。
【請求項３４】
楽曲単位で音楽信号が対応する音楽ジャンル情報とともに記録された記録媒体から、音楽信号と対応する音楽ジャンル情報を読み取る処理と、
記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、
を行うようにしたことを特徴とするコンピュータプログラムを記録した記憶媒体。
【請求項３５】
１または複数の楽曲の音楽信号が記録された記録媒体から音楽信号を読み取る処理と、
記録媒体から読み取った音楽信号を他の記録媒体に記録し、この際、入力操作手段で入力された記録楽曲の音楽ジャンル情報を音楽信号に対応付けて一緒に記録する処理と、
を行うようにしたことを特徴とするコンピュータプログラムを記録した記憶媒体。
【請求項３６】
楽曲単位で音楽信号が対応する音楽ジャンル情報とともに記録された他の記録媒体から、音楽信号と対応する音楽ジャンル情報を読み取る処理と、
記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、
を行うようにしたことを特徴とする請求項３５記載のコンピュータプログラムを記録した記憶媒体。
【発明の詳細な説明】
【０００１】
【発明の属する技術分野】
本発明は再生装置、記録装置、コンピュータプログラム、コンピュータプログラムを記録した記憶媒体に係り、とくに楽曲の音楽ジャンルに合わせた音質または音場補正を容易にできるようにした再生装置、記録装置、コンピュータプログラム、コンピュータプログラムを記録した記憶媒体に関する。
【０００２】
【従来の技術】
ＣＤ（コンパクトディスク）と呼ばれるソースメディアには１または複数の楽曲のディジタル化された音楽信号がＴＯＣ（Ｔａｂｌｅ　Ｏｆ　Ｃｏｎｔｅｎｔｓ）情報と呼ばれる管理情報とともに記録されている。ＣＤを再生するオーディオ機器の一例を図１５に示す。１はＣＤ、２はＣＤ再生部であり、外部から装填されたＣＤに記録されたＴＯＣ情報を読み取って出力したり、ＣＤにディジタル記録された音楽信号を読み取り、再生出力する。３はＣＤ１を載せるトレイ、４はトレイ３に載ったＣＤ１をＣＤ再生部２に対しローディング／アンローディングするローディング部、５は音楽信号の電力増幅を行うアンプ部、６はアンプ部５の出力で駆動されるスピーカ、７はＰＬＡＹキー、ダイレクト選曲キー等を有するキー入力部、８はコントロール部であり、全体的な再生制御を司る。
【０００３】
トレイ３に設けられたオープン／クローズキー（図示せず）を押してオープン操作をすると、ローディング部４はトレイ３を機器の外部へアンローディング移動し、ユーザがＣＤ１をトレイ３に載せたあと、オープン／クローズキーを押してクローズ操作をすると、ローディング部４はトレイ３を機器の内部へローディング移動し、ＣＤ再生部２へＣＤ１をセットさせる。コントロール部８はＣＤ再生部２にＣＤ１がセットされると、ＣＤ再生部２を制御し、ＴＯＣ情報を読み取らせて入力し、内部メモリ９に一時記憶する。キー入力部７でＰＬＡＹキーが押されて通常再生が指示されると、ＣＤ再生部２を制御し、最初の楽曲から順に再生させ、キー入力部７のダイレクト選曲キーで任意の所望曲が選曲されたのちＰＬＡＹキーが押されると、ＴＯＣ情報を参照してＣＤ再生部２を制御し、所望曲の開始位置をサーチさせたのち再生させる（なお、ＣＤ再生装置の関連文献として特開２０００−０９０６５０号公報参照）。
【０００４】
ところで、ＣＤ１からそのまま再生しただけの場合、楽曲の音楽ジャンルによっては低域が物足りなかったり、高域が目立ち過ぎたりすることが有る。また、音場の残響感が物足りなかったり、過剰だったりすることが有る。
この対策として、図１５の符号１０の如く音楽信号の音質補正を行う音質補正部を設け、コントロール部８は内部メモリ９に音楽ジャンル（ロック、ポップス、クラシックなど）別の最適な音質補正データ（周波数特性データ）を記憶しておく。キー入力部７には音楽ジャンル選択キーを設け、ユーザが再生楽曲の音楽ジャンルを選択すれば、コントロール部８が選択された音楽ジャンルに対応する音質補正データを読み出し、音質補正部１０に設定して再生楽曲の音楽ジャンルに適した音質補正を行わせるようにすることが考えられる。
音場についても同様に、選択された音楽ジャンルに応じて音場補正を行わせるようにすることができる。
【０００５】
【発明が解決しようとする課題】
しかしながら、上記したオーディオ機器では、再生楽曲が変わる度にユーザが音楽ジャンルを指示しなければならず、操作が面倒であるという問題が残る。
本発明は再生楽曲が変わる度にユーザが音楽ジャンルを選択しなくても、再生楽曲の音楽ジャンルに適した音質または音場補正を掛けられるようにした再生装置、記録装置、コンピュータプログラム、コンピュータプログラムを記録した記憶媒体を提供することを、その目的とする。
【０００６】
【課題を解決するための手段】
請求項１記載の再生装置では、１または複数の楽曲の音楽信号と管理情報が記録された記録媒体から、管理情報を読み取ったり、音楽信号を読み取って再生出力する記録媒体再生手段と、記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから記録媒体に記録された楽曲の楽曲案内情報を検索する検索手段と、音楽信号に対し音質または音場補正を行う補正手段と、音楽ジャンル別の最適な音質または音場の補正データを補正データ記憶手段に記憶しており、検索手段で検索した楽曲案内情報の音楽ジャンル情報を用いて、再生楽曲の音楽ジャンルに対応する音質または音場の補正データを読み出し、補正手段に設定して音質または音場の補正を行わせる制御手段と、を備えたことを特徴としている。
【０００７】
請求項２は請求項１において、検索手段は、外部のネットワーク上に設置された楽曲案内情報データベースサーバに対して検索を実行するようにしたこと、を特徴としており、請求項３は請求項１において、前記検索キーと楽曲案内情報を対応付けて記憶可能な楽曲案内情報データベース記憶手段を有し、検索手段は、最初に楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に登録するようにしたこと、を特徴としており、請求項４は請求項１または請求項３において、記録媒体から読み取った所定の情報から、記録媒体の固有の識別情報または記録媒体中の楽曲単位の固有の識別情報を作成する識別情報作成手段と、記録媒体に記録された各楽曲の音楽ジャンルを含む楽曲案内情報の入力操作をする入力操作手段と、入力操作手段で入力された楽曲案内情報を、識別情報作成手段で作成された識別情報と対応付けて楽曲案内情報データベース記憶手段に登録させる登録手段と、を備えたことを特徴としている。
【０００８】
請求項５記載の記録装置では、１または複数の楽曲の音楽信号と管理情報が記録された記録媒体から、管理情報と音楽信号を読み取る記録媒体読み取り手段と、記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから検索キーに対応する楽曲案内情報を検索する検索手段と、記録媒体から読み取られた音楽信号を他の記録媒体に記録し、この際、検索手段で検索した楽曲案内情報の音楽ジャンル情報を用いて、記録楽曲の音楽ジャンル情報を音楽信号に対応付けて一緒に記録する記録手段と、を備えたことを特徴としている。
【０００９】
請求項６は請求項５において、検索手段は、外部のネットワーク上に設置された楽曲案内情報データベースサーバに対して検索を実行するようにしたこと、を特徴としており、請求項７は請求項５において、前記検索キーと楽曲案内情報を対応付けて記憶可能な楽曲案内情報データベース記憶手段を有し、検索手段は、最初に楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に登録するようにしたこと、を特徴としており、請求項８は請求項５または請求項７において、記録媒体から読み取った所定の情報から、記録媒体の固有の識別情報または記録媒体中の楽曲単位の固有の識別情報を作成する識別情報作成手段と、記録媒体に記録された各楽曲の音楽ジャンルを含む楽曲案内情報の入力操作をする入力操作手段と、入力操作手段で入力された楽曲案内情報を、識別情報作成手段で作成された識別情報と対応付けて楽曲案内情報データベース記憶手段に登録させる登録手段と、を備えたことを特徴としており、請求項９は請求項５において、楽曲単位で音楽信号が対応する音楽ジャンル情報とともに記録された前記他の記録媒体から、音楽信号と対応する音楽ジャンル情報を読み取り、再生出力する再生手段と、音楽信号に対し音質または音場の補正を行う補正手段と、音楽ジャンル別の最適な音質または音場の補正データを補正データ記憶手段に記憶しており、再生楽曲の音楽ジャンルに対応する音質または音場の補正データを読み出し、補正手段に設定して音質または音場の補正を行わせる制御手段と、を備えたことを特徴としている。
【００１０】
請求項１０記載の再生装置は、楽曲単位で音楽信号が対応する音楽ジャンル情報とともに記録された記録媒体から、音楽信号と対応する音楽ジャンル情報を読み取り、再生出力する再生手段と、音楽信号に対し音質または音場の補正を行う補正手段と、音楽ジャンル別の最適な音質または音場の補正データを補正データ記憶手段に記憶しており、再生楽曲の音楽ジャンルに対応する音質または音場の補正データを読み出し、補正手段に設定して音質または音場の補正を行わせる制御手段と、を備えたことを特徴としている。
【００１１】
請求項１１記載の記録装置は、１または複数の楽曲の音楽信号が記録された記録媒体から、音楽信号を読み取る記録媒体読み取り手段と、楽曲の音楽ジャンルの入力操作をする入力操作手段と、記録媒体から読み取った音楽信号を他の記録媒体に記録し、この際、入力操作手段で入力された音楽ジャンル情報を音楽信号に対応付けて一緒に記録する記録手段と、を備えたことを特徴としている。
請求項１２は請求項１１において、楽曲単位で音楽信号が対応する音楽ジャンル情報とともに記録された前記他の記録媒体から、音楽信号と対応する音楽ジャンル情報を読み取り、再生出力する再生手段と、音楽信号に対し音質または音場の補正を行う補正手段と、音楽ジャンル別の最適な音質または音場の補正データを補正データ記憶手段に記憶しており、再生楽曲の音楽ジャンルに対応する音質または音場の補正データを読み出し、補正手段に設定して音質または音場の補正を行わせる制御手段と、を備えたことを特徴としている。
【００１２】
請求項１３（２５）記載のコンピュータプログラム（コンピュータプログラムを記録した記憶媒体）では、１または複数の楽曲の音楽信号と管理情報が記録された記録媒体から、管理情報を読み取ったり、音楽信号を読み取る処理と、記録媒体から読み取った所定の情報から記録媒体の固有の識別情報または記録媒体中の楽曲単位の固有の識別情報を作成し、該識別情報を検索キーとして、音楽ジャンルを含む楽曲案内情報データベースから記録媒体に記録された楽曲の楽曲案内情報を検索する処理と、記録媒体から読み取った音楽信号を再生出力させ、この際、音楽ジャンル別に定められた音質または音場の補正データに従い、先に検索した楽曲案内情報の音楽ジャンル情報を用いて、記録媒体中の再生楽曲の音楽ジャンルに対応する音質または音場の補正データに基づき音楽信号に対して音質または音場の補正をする処理と、を行うようにしたことを特徴としている。
【００１３】
請求項１４（２６）は請求項１３（２５）において、検索処理では、外部のネットワーク上に設置された楽曲案内情報データベースサーバに対して検索を実行するようにしたこと、を特徴としており、請求項１５（２７）は請求項１３（２５）において、検索処理では、最初に、前記検索キーと楽曲案内情報を対応付けて記憶可能な楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に記憶するようにしたこと、を特徴としており、請求項１６（２８）では請求項１３（２５）または請求項１５（２７）において、記録媒体から読み取った所定の情報から、記録媒体の固有の識別情報または記録媒体中の楽曲単位の固有の識別情報を作成し、入力操作手段により入力された記録媒体に記録された各楽曲の音楽ジャンルを含む楽曲案内情報と、識別情報作成処理で作成した識別情報を対応付けて楽曲案内情報データベース記憶手段に登録させる処理を含むこと、を特徴としている。
【００１４】
請求項１７（２９）記載のコンピュータプログラム（コンピュータプログラムを記録した記憶媒体）では、１または複数の楽曲の音楽信号と管理情報が記録された記録媒体から、管理情報を読み取ったり、音楽信号を読み取る処理と、記録媒体から読み取った所定の情報から、記録媒体の固有の識別情報または記録媒体中の楽曲単位の固有の識別情報を作成し、該識別情報を検索キーとして、音楽ジャンルを含む楽曲案内情報データベースから検索キーに対応する楽曲案内情報を検索する処理と、記録媒体から読み取った音楽信号を他の記録媒体に記録し、この際、先に検索した楽曲案内情報の音楽ジャンル情報を用いて、記録楽曲の音楽ジャンル情報を音楽データに対応付けて一緒に記録させる処理と、を行うようにしたことを特徴としている。
【００１５】
請求項１８（３０）では請求項１７（２９）において、検索処理では、外部のネットワーク上に設置された楽曲案内情報データベースサーバに対して検索を実行するようにしたこと、を特徴としており、請求項１９（３１）では請求項１７（２９）において、検索処理では、最初に、前記検索キーと楽曲案内情報を対応付けて記憶可能な楽曲案内情報データベース記憶手段を対象に検索し、検索に失敗したときネットワーク上に設置された楽曲案内情報データベースサーバに対して検索を実行するとともに、検索に成功したときは、検索キーと楽曲案内情報を対応付けて楽曲案内情報データベース記憶手段に記憶するようにしたこと、を特徴としており、請求項２０（３２）では請求項１７（２９）または請求項１９（３１）において、記録媒体から読み取った所定の情報から、記録媒体の固有の識別情報または記録媒体中の楽曲単位の固有の識別情報を作成し、入力操作手段により入力された記録媒体に記録された各楽曲の音楽ジャンルを含む楽曲案内情報と、識別情報作成処理で作成した識別情報を対応付けて楽曲案内情報データベース記憶手段に登録させる処理を含むこと、を特徴としており、請求項２１（３３）では請求項１７（２９）において、楽曲単位で音楽信号が対応する音楽ジャンル情報とともに記録された前記他の記録媒体から、音楽信号と対応する音楽ジャンル情報を読み取る処理と、前記他の記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、を行うようにしたことを特徴としている。
【００１６】
請求項２２（３４）記載のコンピュータプログラム（コンピュータプログラムを記録した記憶媒体）では、楽曲単位で音楽信号が対応する音楽ジャンル情報とともに記録された記録媒体から、音楽信号と対応する音楽ジャンル情報を読み取る処理と、記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、を行うようにしたことを特徴としている。
【００１７】
請求項２３（３５）記載のコンピュータプログラム（コンピュータプログラムを記録した記憶媒体）では、１または複数の楽曲の音楽信号が記録された記録媒体から音楽信号を読み取る処理と、記録媒体から読み取った音楽信号を他の記録媒体に記録し、この際、入力操作手段で入力された記録楽曲の音楽ジャンル情報を音楽信号に対応付けて一緒に記録する処理と、を行うようにしたことを特徴としている。
請求項２４（３６）では請求項２３（３５）において、楽曲単位で音楽信号が対応する音楽ジャンル情報とともに記録された前記他の記録媒体から、音楽信号と対応する音楽ジャンル情報を読み取る処理と、記録媒体から読み取った音楽信号を再生出力させ、この際、音楽ジャンル別に定められた音質または音場の補正データに従い、記録媒体中の再生楽曲の音楽ジャンルに対応する音質または音場の補正データに基づき音楽信号に対して音質または音場の補正をする処理と、を行うようにしたことを特徴としている。
【００１８】
請求項１、４、５、８、１３、１６、１７、２０、２５、２８、２９、３２では、例えば記録媒体から読み取った管理情報の全部または一部から、記録媒体の固有の識別情報または記録媒体中の楽曲単位の固有の識別情報を作成するようにしても良い。
請求項５、１１、１７、２３、２９、３５では、音楽信号を他の記録媒体に記録する際、非圧縮の音楽信号を圧縮して記録しても良い。
請求項９、１０、１２、２１、２２、２４、２３、３４、３６では、記録媒体から読み出した音楽信号が圧縮されている場合は、圧縮方式に対応する伸長方式で伸長して音楽信号を再生するようにする。伸長後、圧縮で欠落した信号データを補正するようにしても良い。
【００１９】
【発明の実施の形態】
次に、本発明に係る第１の実施の形態を図１を参照して説明する。図１は本発明に係るオーディオ機器の構成を示すブロック図であり、図１５と同一の構成部分には同一の符号が付してある。
１１、１２、１３、・・はユーザ手持ちの録音済のＣＤであり、各々、ＴＯＣ領域にＴＯＣ情報が記録されており、プログラム領域に１または複数の楽曲の音楽信号のディジタルデータが非圧縮で記録されている。２はＣＤ再生部であり、外部から装填されたＣＤに記録されたＴＯＣ情報を読み取って出力したり、ＣＤに記録された音楽信号のディジタルデータを読み取り、音楽信号（ここではディジタル音楽信号とする）を再生出力する。３はＣＤ１ｉを載せるトレイ、４はトレイ３に載ったＣＤ１ｉをＣＤ再生部２に対しローディング／アンローディングするローディング部、５は音楽信号（アナログ音楽信号）の電力増幅を行うアンプ部、６はアンプ部５の出力で駆動されるスピーカ、７Ａはキー入力部であり、ＣＤ１ｉの通常再生、ＣＤ１ｉのダイレクト選曲再生を指示するためのＣＤ用ＰＬＡＹキー、ＣＤ用ダイレクト選曲キーを有するほか、ＣＤ１ｉから後述するハードディスクで構成された大容量記録媒体への録音を指示するためのＲＥＣキー、録音する際の録音圧縮型式を選択する録音圧縮型式選択キー、楽曲の音楽ジャンル、タイトル等を入力する文字キー、大容量記録媒体に録音された楽曲の中から所望楽曲を選択して再生させるための大容量記録媒体用ダイレクト選曲キーと大容量記録媒体用ＰＬＡＹキーを有する。
【００２０】
１１はハードディスク、半導体メモリ等で構成された楽曲案内情報データベース記憶部であり、ＣＤの楽曲毎の音楽ジャンル、タイトルなどの楽曲案内情報を、ＣＤの固有の識別情報ＩＤ（ＣＤ）またはＣＤの楽曲毎の固有の識別情報ＩＤ（ＣＤ−ＴＮＯ）と対応付けて記憶可能である（ＴＮＯはトラックナンバを示す）。ＣＤの固有の識別情報ＩＤ（ＣＤ）は個々のＣＤをユニークに区別する情報であり、ＣＤのＴＯＣ情報の全部または一部から所定の演算で作成する。ＣＤの楽曲毎の固有の識別情報ＩＤ（ＣＤ−ＴＮＯ）は、ＣＤの固有の識別情報ＩＤ（ＣＤ）に楽曲のＴＮＯ（トラックナンバ）を最後に付加することで作成する。楽曲案内情報データベース記憶部１１はＣＤ１ｉがＣＤ再生部２にセットされた直後に参照される。楽曲案内情報データベース記憶部１１にはユーザがトラックナンバを指定して入力した音楽ジャンル、タイトル等の楽曲案内情報、または、後述するコントロール部がＣＤの固有の識別情報ＩＤ（ＣＤ）またはＣＤの楽曲毎の固有の識別情報ＩＤ（ＣＤ−ＴＮＯ）を検索キーにして外部の楽曲案内情報データベースサーバから検索して得た結果が登録される。
【００２１】
１２は表示部であり、ＣＤ再生部２にセットされたＣＤ１ｉの楽曲毎の音楽ジャンル、タイトルをトラックナンバと対応付けて表示したり、ＣＤ１ｉの内、録音対象の楽曲のトラックナンバ、音楽ジャンル、タイトル、録音圧縮型式を表示したり、大容量記録媒体１３の内、再生対象の楽曲のトラックナンバ、音楽ジャンル、タイトル、録音圧縮型式を表示したりする。
【００２２】
１３はハードディスクで構成された大容量記録媒体であり、楽曲単位で、音楽信号の非圧縮または圧縮されたディジタルデータが対応する楽曲案内情報、録音圧縮型式情報と一緒に記録（録音）される。大容量記録媒体１３では録音順にトラックナンバが割り当てられるものとする。１４は録音時に、ＣＤ再生部２から出力された音楽信号（ディジタル音楽信号）を所定の録音圧縮型式に変換して圧縮する圧縮部、１５は録音圧縮型式に応じた伸長方式で伸長する復元部、１６は記録・読み取り部であり、後述するコントロール部の録音制御により、１曲単位で、圧縮部１４から入力された音楽信号のディジタルデータをコントロール部から入力された対応する楽曲案内情報、録音圧縮型式情報と一緒に大容量記録媒体１３に記録させる。また、コントロール部の指示に従い、大容量記録媒体１３から所望の楽曲の楽曲案内情報、録音圧縮型式情報を読み取りコントロール部へ出力したり、コントロール部の再生制御に従い、大容量記録媒体１３から所望の楽曲の音楽信号のディジタルデータを読み取り、復元部１５へ出力したりする。１７は大容量記録媒体１３の所望の録音楽曲を再生する際、音楽信号のディジタルデータが圧縮データであったとき、圧縮で欠落した信号のサンプルデータを補正可能な場合に補正する圧縮音楽補正部、１８はＣＤ再生部２の出力と圧縮音楽補正部１７の出力を切り替えて音質補正部１０へ出力するスイッチである。音質補正部１０はディジタル領域で音質補正を行ったのち、Ｄ／Ａ変換してアンプ部５へ出力する。
【００２３】
１９はコントロール部の制御で外部の公衆ネットワーク２０を介して該公衆ネットワーク２０の上に設置された楽曲案内情報データベースサーバ２１と双方向の通信をする通信部（モデム）である。楽曲案内情報データベースサーバ２１は多数のＣＤの楽曲毎の音楽ジャンル、タイトルなどの楽曲案内情報を、ＣＤの固有の識別情報ＩＤ（ＣＤ）及びＣＤの楽曲毎の固有の識別情報ＩＤ（ＣＤ−ＴＮＯ）と対応付けて記憶した楽曲案内情報データベース装置２２を有しており（図８参照）、外部からＩＤ（ＣＤ）を検索キーとする検索要求が有ると、楽曲案内情報データベース装置２２の中から検索キーに対応するＣＤの全楽曲の楽曲案内情報を検索して要求元に返信する。また、外部からＩＤ（ＣＤ−ＴＮＯ）を検索キーとする検索要求が有ると、楽曲案内情報データベースの中から検索キーに対応するＣＤの楽曲の楽曲案内情報を検索して要求元に返信する（なお、楽曲案内情報データベースサーバ２１の関連文献として特開２００１−２９７５１５号公報参照）。
【００２４】
８Ａはマイコン構成のコントロール部であり、オーディオ機器の各部を制御し、ＣＤを再生させたり、ＣＤから大容量記録媒体への録音をさせたり、大容量記録媒体の録音楽曲の再生をさせたりする。再生時、音質補正部１０を制御して再生楽曲の音楽ジャンルに応じた音質補正を行わせる。コントロール部８ＡはＣＤ再生部２にセットされたＣＤ１ｉのＴＯＣ情報から所定の演算によりＣＤの固有の識別情報ＩＤ（ＣＤ）またはＣＤの楽曲毎の固有の識別情報ＩＤ（ＣＤ−ＴＮＯ）を作成し、楽曲案内情報データベース記憶部１１からＣＤの楽曲毎の楽曲案内情報を検索する。検索に成功すれば、内部メモリ９Ａに一時記憶し、表示部１２にトラックナンバに対応付けて音楽ジャンル、タイトルを表示する。検索に失敗すると、通信部１８を制御して、ＣＤの固有の識別情報ＩＤ（ＣＤ）またはＣＤの楽曲毎の固有の識別情報ＩＤ（ＣＤ−ＴＮＯ）を検索キーとする検索要求信号を公衆ネットワーク２０を介して楽曲案内情報データベースサーバ２１に送信させてＣＤの楽曲毎の楽曲案内情報を検索する。返信された検索結果が通信部１８で受信されると内部メモリ９Ａに一時記憶し、検索に成功していれば表示部１２にトラックナンバに対応付けて音楽ジャンル、タイトルを表示し、また、楽曲案内情報データベース記憶部１１に登録する。ＣＤ用ダイレクト選曲キーでトラックナンバが指定されて、音楽ジャンル、タイトルが入力されると、内部メモリ９Ａに一時記憶し（すでに同一トラックナンバの楽曲案内情報が存在するときは入力内容で書き換える）、楽曲案内情報データベース記憶部１１に追加登録する。
【００２５】
コントロール部８Ａは予め、内部メモリ９Ａに音楽ジャンル別の最適な音質補正データ（ここでは音質補正部１０に設定するための周波数特性データとする）を記憶しており、ユーザによりＣＤの全楽曲または或る所望楽曲の再生が指示されると、コントロール部８Ａはスイッチ１８をａ側に切り替え、ＣＤ再生部２を制御して全楽曲または所望楽曲を再生させるとともに、再生楽曲の再生開始時点で再生楽曲の音楽ジャンルに対応した音質補正データを読み出し、音質補正部１０に設定する。また、ＣＤの或る所望楽曲の録音時、ＣＤ再生部２を制御して所望楽曲の再生を開始させるとともに、録音対象楽曲の楽曲案内情報と録音圧縮型式情報を記録・読み取り部１６に出力しながら記録・読み取り部１６に対する録音制御をし、圧縮部１４から出力された音楽信号のディジタルデータを、対応する楽曲案内情報、録音圧縮型式情報と一緒に大容量記録媒体１３に記録させる。コントロール部８Ａは録音圧縮型式に応じて圧縮部１４に圧縮させたり、非圧縮のまま出力させたりする。また、大容量記録媒体用ダイレクト選曲キーで大容量記録媒体１３に対してトラックナンバ（大容量記録媒体１３の録音楽曲は録音順にトラックナンバが０１から昇順に割当てられる）が指定され、大容量記録媒体用ＰＬＡＹキーが押されて録音楽曲の再生操作がされると、コントロール部８Ａはスイッチ１８をｂ側に切り替え、記録・読み取り部１６を制御して、大容量記録媒体１３から該当するトラックナンバの録音楽曲の音楽信号のディジタルデータに対応付けられた楽曲案内情報、録音圧縮型式情報を読み取らせて入力し、内部メモリ９Ａに一時記憶するとともに表示させ、復元部１５に録音圧縮型式を設定して対応する伸長方式で伸長させ（録音圧縮型式が非圧縮の場合は、復元部１５はスルーモードとなり、音楽信号のディジタルデータを所定のサンプリングレートで出力させる）、また、コントロール部８Ａは録音圧縮型式が圧縮であったとき、圧縮で欠落した信号のサンプルデータを補正可能な場合に圧縮音楽補正部１７に補正を指示する。そして、記録・読み取り部１６を制御して、大容量記録媒体１３から所望録音楽曲の音楽信号のディジタルデータを読み取らせて復元部１５へ出力させるとともに再生対象の録音楽曲の音楽ジャンルに対応した音質補正データを読み出し、音質補正部１０に設定する。
【００２６】
図２〜図４はコントロール部８ＡによるＣＤの再生・録音制御処理を示すフローチャート、図５はコントロール部８Ａによる録音楽曲の再生制御処理を示すフローチャート、図６は楽曲案内情報データベース記憶部１１の記憶内容の説明図、図７は楽曲案内情報データベース装置２２の記憶内容の説明図、図８と図９は表示部１２の表示例の説明図であり、以下、これらの図を参照して説明する。
なお、ここでは、楽曲案内情報は音楽ジャンルとタイトルとする。また、予め、楽曲案内情報データベース記憶部１１には何も記憶されていないものとする。また、楽曲案内情報の検索キーとして、ＣＤの固有の識別情報を用いるものとするが、ＣＤの楽曲毎の固有の識別情報を用いても良い。
【００２７】
（１）楽曲案内情報検索・楽曲案内情報入力
トレイ３に設けられたオープン／クローズキー（図示せず）を押してオープン操作をすると、ローディング部４はトレイ３を機器の外部へアンローディング移動し、ユーザがトラックナンバ０１〜０５の５曲入りのＣＤ１１をトレイ３に載せたあと、オープン／クローズキーを押してクローズ操作をすると、ローディング部４はトレイ３を機器の内部へローディング移動し、ＣＤ再生部２へＣＤ１１をセットさせる。コントロール部８ＡはＣＤ再生部２にＣＤ１１がセットされると、ＣＤ再生部２を制御してＴＯＣ情報を読み取らせて内部メモリ９Ａに一時記憶する（図２のステップＳ１０、Ｓ１１）。ＴＯＣ情報の全部または一部を使って所定の演算によりＣＤ１１の固有の識別情報ＩＤ（ＣＤ１１）を作成し、該識別情報ＩＤ（ＣＤ１１）を検索キーとして楽曲案内情報データベース記憶部１１を対象にＣＤ１１の全楽曲の楽曲案内情報を検索する（ステップＳ１２、Ｓ１３）。検索に成功したときは結果を内部メモリ９Ａに一時記憶し、表示部１２にトラックナンバ別に楽曲案内情報を表示させるが（ステップＳ１４でＹＥＳ、Ｓ１５、Ｓ１６）、ここでは、検索不能となるので（ステップＳ１４でＮＯ）、続いて、通信部１８を制御し、ＣＤ１１の固有の識別情報ＩＤ（ＣＤ１１）を検索キーとする検索要求信号を公衆ネットワーク２０を介して楽曲案内情報データベースサーバ２１宛に送信させる（ステップＳ１７）。
【００２８】
楽曲案内情報データベースサーバ２１は検索要求信号を受けると、付属の楽曲案内情報データベース装置２２に対して検索キーを用いて検索をし、成功すれば識別情報ＩＤ（ＣＤ１１）に対応して登録された全ての楽曲の楽曲案内情報を読み出し、要求元に返信する。検索不能であったときはエラー通知を返信する。楽曲案内情報またはエラー通知が通信部１８で受信されると、受信情報を入力したコントロール部８Ａは内部メモリ９Ａに一時記憶し（ステップＳ１８）、検索に成功していたときは識別情報ＩＤ（ＣＤ１１）に対応付けて今回入手した全楽曲の楽曲案内情報を楽曲案内情報データベース記憶部１１に登録させ（ステップＳ１９、Ｓ２０。図６（１）参照）、表示部１２にトラックナンバと対応付けて楽曲案内情報をリスト表示する（ステップＳ１６。図８（１）参照）。これにより、あとで同じＣＤ１１をＣＤ再生部２に再セットしたときは、楽曲案内情報データベース記憶部１１を対象にして楽曲案内情報の高速検索が可能となる。若し、ＣＤ１１のトラックナンバ０３について音楽ジャンルまたはタイトルが欠けているか間違っており、マニュアルで入力したい場合、ＣＤ用ダイレクト選曲キーでトラックナンバ０３を選択し、文字キーで音楽ジャンルまたはタイトルを入力すると、内部メモリ９Ａに一時記憶されるとともに（既にトラックナンバ０３の音楽ジャンルまたはタイトルが記憶されているときは書換えられる）、楽曲案内情報データベース記憶部１１に登録させる（ステップＳ２１、Ｓ２２。図６（２）、図８（２）参照）。そして、表示部１２にトラックナンバと対応付けて楽曲案内情報をリスト表示する（ステップＳ１６。図８（２）参照）。
【００２９】
（２）ＣＤの再生
ユーザがＣＤ１１の全楽曲を再生したい場合、ＣＤ用ＰＬＡＹキーを押す。すると、コントロール部８Ａは図３のステップＳ３０、Ｓ３１でＹＥＳと判断し、スイッチ１８をａ側に切り替え（ステップＳ３２）、ＣＤ再生部２を制御して１番目の楽曲の先頭位置をサーチさせサーチが終わると（ステップＳ３３、Ｓ３４）、内部メモリ９Ａにトラックナンバ０１の楽曲の音楽ジャンルが一時記憶されている場合は、対応する音質補正データを読み出して音質補正部１０に設定（トラックナンバ０１の楽曲の音楽ジャンルが一時記憶されていない場合は予め定められた標準（例えばフラット）の音質補正データを音質補正部１０に設定）し（ステップＳ３５）、ＣＤ再生部２を制御して１番目の楽曲の先頭位置から再生を開始させる（ステップＳ３６）。ＣＤ再生部２から出力された１番目の楽曲の音楽信号（ディジタル音楽信号）は音声補正部１０により音楽ジャンルに適した音質補正がされたのち、アナログ音楽信号に変換されてアンプ部５へ出力される。その後、１番目の楽曲の最後まで再生が終わると（ステップＳ３７でＹＥＳ）、まだ次の楽曲が存在する場合は、ＣＤ再生部２を制御して２番目の楽曲の先頭位置をサーチさせサーチが終わると（ステップＳ３８、Ｓ３９、Ｓ３４）、内部メモリ９Ａにトラックナンバ０２の楽曲の音楽ジャンルが一時記憶されている場合は、対応する音質補正データを読み出して音質補正部１０に設定（トラックナンバ０２の楽曲の音楽ジャンルが一時記憶されていない場合は予め定められた標準の音質補正データを音質補正部１０に設定）し（ステップＳ３５）、ＣＤ再生部２を制御して２番目の楽曲の先頭位置から再生を開始させる（ステップＳ３６）。以下、同様にして最後の楽曲まで再生させ、最後の楽曲の最後まで再生が終わると、再生を停止させる（ステップＳ３８でＮＯ、Ｓ４０）。
【００３０】
ユーザがＣＤ１１の例えばトラックナンバ０３の楽曲を再生したい場合、ＣＤ用ダイレクト選曲キーでトラックナンバ０３を選択し、ＰＬＡＹキーを押す。すると、コントロール部８ＡはステップＳ３０でＹＥＳ、Ｓ３１でＮＯ、Ｓ４１でＹＥＳと判断し、スイッチ１８をａ側に切り替え（ステップＳ４２）、ＣＤ再生部２を制御して３番目の楽曲の先頭位置をサーチさせサーチが終わると（ステップＳ４３、Ｓ４４）、内部メモリ９Ａにトラックナンバ０３の楽曲の音楽ジャンルが一時記憶されている場合は、対応する音質補正データを読み出して音質補正部１０に設定（トラックナンバ０３の楽曲の音楽ジャンルが一時記憶されていない場合は予め定められた標準の音質補正データを音質補正部１０に設定）し（ステップＳ４５）、ＣＤ再生部２を制御して３番目の楽曲の先頭位置から再生を開始させる（ステップＳ４６）。３番目の楽曲の最後まで再生が終わると、再生を停止させる（ステップＳ４７、Ｓ４０）。
このようにして、ユーザが再生楽曲について一々、音楽ジャンルに合わせた音質補正の切り替え操作をしなくても音楽ジャンルに合わせた最適な音質補正が実現される。
【００３１】
（３）ＣＤの録音
例えば、ユーザがＣＤ１１の３番目の楽曲の録音をＭＰＥＧ１レイヤ３の録音圧縮型式にて録音したい場合、録音圧縮型式選択キーで「ＭＰ３」を選択し、ＣＤ用ダイレクト選曲キーでトラックナンバ０３を選択し、ＲＥＣキーを押す。コントロール部８Ａは録音圧縮型式が選択されると、選択された圧縮型式を内部メモリ９Ａに一時記憶し、圧縮部１４に選択された録音圧縮型式を設定する（図４のステップＳ５０〜Ｓ５２。なお、録音圧縮型式が非圧縮の場合、圧縮部１４はスルーモードとなり、ＣＤ再生部２から出力された音楽信号（ディジタル音楽信号）をそのまま出力する）。そして、ＣＤ用ダイレクト選曲キーでトラックナンバ０３が選択され、ＲＥＣキーが押されると、コントロール部８ＡはステップＳ５３でＹＥＳと判断し、録音対象に選択されたＣＤの楽曲のトラックナンバ、音楽ジャンル、タイトル、録音先の大容量記録媒体１３で割り当てられるトラックナンバとともに録音中であることを表示部１２に表示させる（ステップＳ５４、Ｓ５５。図９（１）参照）。そして、ＣＤ再生部２を制御して３番目の楽曲の先頭位置をサーチさせて再生を開始させるとともに（ステップＳ５６）、内部メモリ９Ａに一時記憶されたトラックナンバ０３の楽曲の楽曲案内情報と録音圧縮型式情報を与えながら記録・読み取り部１６に対し録音開始制御をする。ＣＤ再生部２から再生された音楽信号は圧縮部１４で所望の圧縮型式に変換されてデータ出力される。記録・読み取り部１６は録音開始制御を受けて、圧縮部１４から入力した音楽信号のディジタルデータを対応する楽曲案内情報及び録音圧縮型式情報と一緒に大容量記録媒体１３に記録（録音）させる（ステップＳ５７）。なお、内部メモリ９ＡにＣＤ１１のトラックナンバ０３の楽曲の楽曲案内情報が一時記憶されていない場合は、楽曲案内情報をブランクとして大容量記録媒体１３に記録（録音）させる。３番目の楽曲の最後まで再生が終わると、再生と録音を停止させ、録音中表示を消す（ステップＳ５８〜Ｓ６０）。
【００３２】
ＣＤ１１の他の楽曲についても同様にして録音できる。ＣＤ１１を他のＣＤ１ｊと交換したいとき、トレイオープン／クローズキー（図示せず）を押すと、ローディング部４がトレイ３をアンローディング移動させる。ＣＤ再生部２からＣＤ１１が取り出されると、コントロール部８Ａは表示部１２に表示させていたトラックナンバ別の楽曲案内情報を消す（図２のステップＳ２３、Ｓ２４）。ＣＤ１１をＣＤ１ｊへ交換してＣＤ再生部２へセットさせることで、ＣＤ１ｊに記録された楽曲についても同様に再生及び録音できる。
【００３３】
（４）大容量記録媒体に録音された楽曲の再生
例えば、大容量記録媒体１３の先頭の録音楽曲を再生したい場合、大容量記録媒体用ダイレクト選曲キーでトラックナンバ０１を選択し、大容量記録媒体用ＰＬＡＹキーを押す。すると、コントロール部８Ａは、図５のステップＳ７０でＹＥＳと判断し、スイッチ１８をｂ側に切り替えさせ（ステップＳ７１）、記録・読み取り部１６に指示して大容量記録媒体１３から先頭の録音楽曲の音楽信号データに対応付けられた楽曲案内情報と録音圧縮型式を読み取らせて入力し、内部メモリ９Ａに一時記憶するとともに表示部１２に表示させ（ステップＳ７２〜Ｓ７４）、復元部１５に今回読み取った録音圧縮型式を設定する（ステップＳ７５。なお、設定された録音圧縮型式が非圧縮の場合、復元部１５はスルーモードとなり、記録・読み取り部１６から入力した音楽信号のディジタルデータを所定のサンプリングレートで出力する）。また、録音圧縮型式が圧縮であり、圧縮で欠落した信号のサンプルデータを補正可能な場合に圧縮音楽補正部１７に補正を指示する（ステップＳ７６〜ＳＳ７８）。若し、非圧縮の場合、または圧縮で欠落した信号のサンプルデータを補正不能な場合は非補正を指示し、圧縮音楽補正部１７をスルーモードとする（ステップＳ７６、Ｓ７７、Ｓ７９）。また、内部メモリ９Ａに大容量記録媒体１３のトラックナンバ０１の録音楽曲の音楽ジャンルが一時記憶されている場合は、対応する音質補正データを読み出して音質補正部１０に設定（若し、トラックナンバ０１の録音楽曲の音楽ジャンルが一時記憶されていない場合は予め定められた標準の音質補正データを音質補正部１０に設定）する（ステップＳ８０）。
【００３４】
そして、記録・読み取り部１６に対し再生制御して、大容量記録媒体１３から１番目の録音楽曲の音楽信号のディジタルデータを先頭から順に読み取らせて復元部１５へ出力させる（ステップＳ８１）。復元部１５は音楽信号のディジタルデータが圧縮されている場合、録音圧縮型式に応じた復元方式で伸長した音楽信号（所定のサンプリングレートのディジタル音楽信号）を出力する（音楽信号のデータが圧縮されていない場合は、入力された音楽信号のディジタルデータを所定のサンプリングレートで出力する）。圧縮されていて、圧縮で欠落した信号のサンプルデータを補正可能な場合、圧縮音楽補正部１７により圧縮で欠落した信号のサンプルデータが補正されたのちスイッチ１８を介して音質補正部１０に入力され、音楽ジャンルに適した音質補正がされる。音質補正部１０は音質補正後、アナログ音楽信号に変換して出力する。圧縮されていないか、圧縮されていても圧縮で欠落したサンプルデータを補正不能な場合、復元部１５の出力がそのままスイッチ１８を介して音質補正部１０に入力される。
大容量記録媒体１３の１番目の録音楽曲の音楽信号の再生が終われば、コントロール部８Ａは記録・読み取り部１６に対し読み取り停止制御をし、再生対象の録音楽曲についてのトラックナンバ、楽曲案内情報、録音圧縮型式の表示を消す（ステップＳ８２〜Ｓ８４）。
大容量記録媒体１３の他の録音楽曲の再生も同様にして行うことができる。
このようにして、ユーザが大容量記録媒体１３の録音楽曲を再生させる際に、。楽曲毎に一々、音楽ジャンルに合わせた音質補正の切り替え操作をしなくても音楽ジャンルに合わせた最適な音質補正が実現される。
【００３５】
この実施の形態によれば、所望のＣＤをＣＤ再生部２にセットさせると、自動的に楽曲案内情報データベース記憶部１１と公衆ネットワーク上に設置された楽曲案内情報データベースサーバ２１に対して各楽曲の楽曲案内情報の検索がされ、かつ楽曲の再生時に音楽ジャンルに最適な音質補正が自動的に掛けられるので、ユーザが一々再生楽曲毎に音楽ジャンルに合わせた音質補正の切り替え操作をしなくても済む。公衆ネットワーク上に設置された楽曲案内情報データベースサーバ２１に対して検索して得た各楽曲の楽曲案内情報は楽曲案内情報データベース記憶部１１にＣＤ固有の識別情報と対応付けて登録されるので、後で同じＣＤを再セットして再生させる場合、楽曲案内情報データベースサーバ２１に対し再度検索要求する必要が無くなる。また、マニュアル入力で楽曲案内情報を楽曲案内情報データベース記憶部１１に追加登録することもできるので、楽曲案内情報データベースサーバ２１に対する検索に失敗したときにも対応できる。
【００３６】
ＣＤから大容量記録媒体１３へ楽曲単位で音楽信号を録音する場合、音楽信号とともに楽曲案内情報が対応付けて一緒に記録され、大容量記録媒体１３の所望録音楽曲の再生時に、音楽信号に対応付けられた音楽ジャンルを用いて音楽ジャンルに最適な音質補正が自動的に掛けられる。ユーザが大容量記録媒体１３の録音楽曲の再生時に、一々音楽ジャンルに合わせた音質補正の切り替え操作をしなくても済む。ＣＤをＣＤ再生部２にセットしたあとの検索で、ＣＤの全部または幾つかの楽曲について、音楽ジャンルの検索が出来なかった場合でも、ＣＤの或る楽曲を大容量記録媒体１３に録音したい場合、ユーザが当該楽曲の少なくとも音楽ジャンルをマニュアル入力しておけば、所望楽曲の音楽データに対応付けて音楽ジャンルを一緒に大容量記録媒体１３に記録させることができ、あとで当該録音楽曲を再生させる度に一々音楽ジャンルに合わせた音質補正の切り替え操作をしなくても済む。
【００３７】
次に、図１０を参照して本発明の第２の実施の形態を説明する。図１０は図１のオーディオ機器と同等な機能を具現するパーソナルコンピュータの構成を示すブロック図であり、図１と同一の構成部分には同一の符号が付してある。
１１、１２、・・はユーザが手持ちのＣＤ、１００は再生・録音プログラムを記録したＣＤ−ＲＯＭ、３００はパーソナルコンピュータであり、この内、３０はＣＤ−ＲＯＭ読み取り部であり、外部から装填されたＣＤ１ｉまたはＣＤ−ＲＯＭ１００に記録されたＴＯＣ情報を読み取って出力したり、ＣＤ１ｉまたはＣＤ−ＲＯＭ１００のプログラム領域に記録された音楽信号のディジタルデータ、再生・録音プログラムデータを読み取って出力する。３１はＣＤ１ｉまたはＣＤ−ＲＯＭ１００を載せるトレイ、３２はトレイ２１に載ったＣＤ１ｉまたはＣＤ−ＲＯＭ１００をＣＤ−ＲＯＭ読み取り部３０に対しローディング／アンローディングするローディング部、５は音楽信号（アナログ音楽信号）の電力増幅を行うアンプ部、６はアンプ部５の出力で駆動されるスピーカ、３３はキー入力部であり、楽曲の音楽ジャンル、タイトル等の入力、ＣＤ１ｉの通常再生、ＣＤ１ｉのダイレクト選曲再生、録音圧縮型式の選択、ＣＤ１ｉから後述するハードディスクへの録音、ハードディスクに録音された録音楽曲の中のら所望楽曲の再生等の各種操作を行う。
【００３８】
３４はハードディスク、３５は表示部、３６はメモリ、３７は音楽信号のデータをアナログ音楽信号に変換して出力する音声出力部、３８は通信部（モデム）、３９は再生・録音プログラムに基づき、ＣＤの再生と録音、ＣＤから録音した楽曲の再生の各処理を実行するＣＰＵである。ＣＤ−ＲＯＭ読み取り部３０、キー入力部３３、ハードディスク３４、表示部３５、メモリ３６、音声出力部３７、ＣＰＵ３９はバス接続されている。ハードディスク３４はプログラム格納領域３４ａ、楽曲案内情報データベース記憶領域３４ｂ、音楽データ記憶領域３４ｃを含み、ＣＤ−ＲＯＭ１００に記録された再生・録音プログラムをプログラム格納領域３４ａに記憶できるようになっている。楽曲案内情報データベース領域３４ｂは図１の楽曲案内情報データベース記憶部１１に相当し、音楽データ記憶領域３４ｃは大容量記録媒体１３に相当する。
【００３９】
ＣＤ−ＲＯＭ１００に記録された再生・録音プログラムがＣＤ−ＲＯＭ読み取り部３０により読み取られてハードディスク３４に格納済であるとする。この再生・録音プログラムには、予め、音楽ジャンル別の音質補正データが含まれているものとする。再生・録音プログラムに基づきＣＰＵ３９は図１のコントロール部８Ａ、圧縮部１４、復元部１５、記録・読み取り部１６、圧縮音楽補正部１７の有する各機能と同等の処理を実行する。
通信部３８は外部の公衆ネットワーク２０を介して楽曲案内情報データベースサーバ２１と通信可能である。
【００４０】
図１１〜図１３は再生・録音プログラムに基づきＣＰＵ３９が実行するＣＤ再生・録音処理を示すフローチャート、図１４はＣＤ再生・録音プログラムに基づきＣＰＵ３９が実行するハードディスク中の録音楽曲の再生処理を示すフローチャートであり、以下、これらの図を参照して説明する。
なお、ここでは、楽曲案内情報は音楽ジャンルとタイトルとする。また、予め、楽曲案内情報データベース記憶領域３４ｂには何も記憶されていないものとする。また、楽曲案内情報の検索キーとして、ＣＤの固有の識別情報を用いるものとするが、ＣＤの楽曲毎の固有の識別情報を用いても良い。
【００４１】
（１）楽曲案内情報検索・楽曲案内情報入力
ユーザがトラックナンバ０１〜０５の５曲入りのＣＤ１１をトレイ３１に載せたあと、オープン／クローズキーを押してクローズ操作をすると、ローディング部３２はトレイ３１をＣＤ−ＲＯＭ読み取り部３０へローディング移動し、ＣＤ−ＲＯＭ読み取り部３０へＣＤ１１をセットさせる。ＣＰＵ３９はＣＤ−ＲＯＭ読み取り部３０にＣＤ１１がセットされると、ＣＤ−ＲＯＭ読み取り部３０を制御してＴＯＣ情報を読み取らせてメモリ３６に一時記憶する（図１１のステップＳ１０´、Ｓ１１´）。ＴＯＣ情報の全部または一部を使って所定の演算によりＣＤ１１の固有の識別情報ＩＤ（ＣＤ１１）を作成し、該識別情報ＩＤ（ＣＤ１１）を検索キーとして楽曲案内情報データベース記憶領域３４ｂを対象に検索する（ステップＳ１２´、Ｓ１３´）。検索に成功したときは結果をメモリ３６に一時記憶し、表示部３５にトラックナンバ別に楽曲案内情報を表示させるが（ステップＳ１４´でＹＥＳ、Ｓ１５´、Ｓ１６´）、ここでは、検索不能となるので（ステップＳ１４´でＮＯ）、続いて、通信部３８を制御し、ＣＤ１１の固有の識別情報ＩＤ（ＣＤ１１）を検索キーとする検索要求信号を公衆ネットワーク２０を介して楽曲案内情報データベースサーバ２１宛に送信させる（ステップＳ１７´）。
【００４２】
楽曲案内情報データベースサーバ２１は検索要求信号を受けると、付属の楽曲案内情報データベース装置２２に対して検索キーを用いて検索をし、成功すれば識別情報ＩＤ（ＣＤ１１）に対応して登録された全ての楽曲の楽曲案内情報を読み出し、要求元に返信する。検索不能であったときはエラー通知を返信する。楽曲案内情報またはエラー通知が通信部３８で受信されると、受信情報を入力したＣＰＵ３９はメモリ３６に一時記憶し（ステップＳ１８´）、検索に成功したときは識別情報ＩＤ（ＣＤ１１）に対応付けて今回入手した全楽曲の楽曲案内情報を楽曲案内情報データベース記憶領域３４ｂに登録させる（ステップＳ１９´、Ｓ２０´。図６（１））。そして、表示部３５にトラックナンバと対応付けて楽曲案内情報をリスト表示する（ステップＳ１６´。図８（１）参照）。これにより、あとで、同じＣＤ１１をＣＤ−ＲＯＭ読み取り部３０に再セットしたときは、楽曲案内情報データベース記憶領域３４ｂを対象にして楽曲案内情報の高速検索が可能となる。若し、ＣＤ１１のトラックナンバ０３について音楽ジャンルまたはタイトルが欠けているか間違っており、マニュアルで入力したい場合、キー入力部３３によりトラックナンバ０３を選択し、音楽ジャンルまたはタイトルを入力すると、メモリ３６に一時記憶されるとともに（既にトラックナンバ０３の音楽ジャンルまたはタイトルが記憶されているときは書換えられる）、楽曲案内情報データベース記憶領域３４ｂに登録させる（ステップＳ２１´、Ｓ２２´。図６（２）参照）。そして、表示部３５にトラックナンバと対応付けて楽曲案内情報をリスト表示する（ステップＳ１６´。図８（２）参照）。
【００４３】
（２）ＣＤの再生
ユーザがＣＤ１１の全楽曲を再生したい場合、キー入力部３３により、ＣＤ全曲の再生操作をする。すると、ＣＰＵ３９は図１２のステップＳ３０´、Ｓ３１´でＹＥＳと判断し、ＣＤ−ＲＯＭ読み取り部３０を制御して１番目の楽曲の先頭位置をサーチさせサーチが終わると（ステップＳ３３´、Ｓ３４´）、ＣＤ−ＲＯＭ読み取り部３０を制御して１番目の楽曲の先頭位置から記録順に音楽信号のディジタルデータの読み取りを開始させる。ＣＤには音楽信号が非圧縮のディジタルデータで記録されているため、ＣＤ−ＲＯＭ読み取り部３０によりＣＤ１１から記録順に読み取られたディジタルデータはディジタル音楽信号であるが、メモリ３６にトラックナンバ０１の楽曲の音楽ジャンルが一時記憶されている場合は、再生・録音プログラムに含まれている対応する音質補正データに基づき音質補正処理をしたのち音声出力部３７へ出力し、アナログ音楽信号に変換させて出力させる（ステップＳ３５´）。若し、トラックナンバ０１の楽曲の音楽ジャンルが一時記憶されていない場合は予め定められた標準（例えばフラット）の音質補正を施す。
【００４４】
そして、１番目の楽曲の最後まで再生が終わり（ステップＳ３７´でＹＥＳ）、まだ次の楽曲が存在する場合は、ＣＤ−ＲＯＭ読み取り部３０を制御して２番目の楽曲の先頭位置をサーチさせサーチが終わると（ステップＳ３８´、Ｓ３９´、Ｓ３４´）、ＣＤ−ＲＯＭ読み取り部３０を制御して２番目の楽曲の先頭位置から順に音楽信号のディジタルデータの読み取りを開始させる。メモリ３６にトラックナンバ０２の楽曲の音楽ジャンルが一時記憶されている場合は、再生・録音プログラムに含まれている対応する音質補正データに基づき音質補正処理をしたのち音声出力部３７へ出力し、アナログ音楽信号に変換して出力させる（ステップＳ３５´）。以下、同様にして最後の楽曲まで再生させ、最後の楽曲の最後まで再生が終わると、ＣＤ−ＲＯＭ読み取り部３０の読み取りを停止させて再生を停止する（ステップＳ３８´でＮＯ、Ｓ４０´）。
【００４５】
ユーザがＣＤ１１の例えばトラックナンバ０３の楽曲を再生したい場合、キー入力部３３により、トラックナンバ０３のダイレクト選曲再生操作をする。すると、ＣＰＵ３９は、ＣＤ−ＲＯＭ読み取り部３０を制御して３番目の楽曲の先頭位置をサーチさせサーチが終わると（ステップＳ４１´、Ｓ４３´、Ｓ４４´）、ＣＤ−ＲＯＭ読み取り部３０を制御して３番目の楽曲の先頭位置から順に音楽信号のディジタルデータの読み取りを開始させる。ＣＤ−ＲＯＭ読み取り部３０によりＣＤ１１から記録順に読み取られたディジタルデータはディジタル音楽信号であるが、メモリ３６にトラックナンバ０３の楽曲の音楽ジャンルが一時記憶されている場合は、再生・録音プログラムに含まれている対応する音質補正データに基づき音質補正処理をしたのち音声出力部３７へ出力し、アナログ音楽信号に変換させて出力させる（ステップＳ４５´）。若し、トラックナンバ０３の楽曲の音楽ジャンルが一時記憶されていない場合は予め定められた標準（例えばフラット）の音質補正を施す。そして、３番目の楽曲の最後まで再生が終わると、ＣＤ−ＲＯＭ読み取り部３０の読み取りを停止させて再生を停止する（ステップＳ４７´でＹＥＳ、Ｓ４０´）。
このようにして、ユーザが再生楽曲について一々、音楽ジャンルに合わせた音質補正の切り替え操作をしなくても音楽ジャンルに合わせた最適な音質補正が実現される。
【００４６】
（３）ＣＤの録音
例えば、ユーザがＣＤ１１の３番目の楽曲の録音をＭＰＥＧ１レイヤ３の圧縮型式にて録音したい場合、まずキー入力部３３により録音圧縮型式「ＭＰ３」を選択し、トラックナンバ０３を選択して録音操作する。ＣＰＵ３９は録音圧縮型式が選択されると、選択された圧縮型式をメモリ３６に一時記憶する（図１３のステップＳ５０´、Ｓ５１´）。そして、トラックナンバ０３が選択され、録音操作が押されると、ＣＰＵ３９はステップＳ５３´でＹＥＳと判断し、録音対象に選択されたＣＤの楽曲のトラックナンバ、音楽ジャンル、タイトル、録音先のハードディスク３４で割り当てられるトラックナンバとともに録音中であることを表示部３５に表示させる（ステップＳ５４´、Ｓ５５´。図９（１）参照）。そして、ＣＤ−ＲＯＭ読み取り部３０を制御して３番目の楽曲の先頭位置をサーチさせて音楽信号のディジタルデータの読み取りを開始させるとともに、該音楽信号のディジタルデータに対し所望の圧縮型式で圧縮処理をした音楽信号のディジタルデータを、メモリ３６に一時記憶された楽曲案内情報及び録音圧縮型式情報と一緒にハードディスク２４の音楽データ記憶領域３４ｃに記録（録音）させる（ステップＳ５６´、Ｓ５７´）。なお、メモリ３６にＣＤ１１のトラックナンバ０３の楽曲の楽曲案内情報が一時記憶されていない場合は、楽曲案内情報をブランクとして記録（録音）させる。３番目の楽曲の最後まで音楽信号のディジタルデータの記録が終わると、読み取りと録音を停止させ、録音中表示も消す（ステップＳ５８´〜Ｓ６０´）。
【００４７】
ＣＤ１１の他の楽曲についても同様にして録音できる。ＣＤ１１を他のＣＤ１ｊと交換したいとき、トレイオープン／クローズキー（図示せず）を押すと、ローディング部３２がトレイ３１をアンローディング移動させる。ＣＤ−ＲＯＭ読み取り部３０からＣＤ１１が取り出されると、ＣＰＵ３９は表示部３５に表示させていたトラックナンバ別の楽曲案内情報を消す（図１１のステップＳ２３´、Ｓ２４´）。ＣＤ１１をＣＤ１ｊへ交換してＣＤ−ＲＯＭ読み取り部３０へセットさせることで、ＣＤ１ｊに記録された楽曲についても同様に再生及び録音できる。
なお、ハードディスク３４の音楽データ記憶領域３４ｃの各録音楽曲には、トラックナンバが０１から自動で録音順に割当てられるものとする。
【００４８】
（４）ハードディスクに録音された楽曲の再生
例えば、音楽データ記憶領域３４ｃの先頭の録音楽曲を再生したい場合、キー入力部３３により、音楽データ記憶領域３４ｃの上でのトラックナンバ０１を選択して再生操作をする。すると、ＣＰＵ３９は、図１３のステップＳ７０´でＹＥＳと判断し、音楽データ記憶領域３４ｃから先頭の録音楽曲の音楽信号のディジタルデータに対応付けられた楽曲案内情報と録音圧縮型式を読み取って入力し、メモリ３６に一時記憶するとともに表示部３５に表示させる（ステップＳ７２´〜Ｓ７４´。図９参照）。そして、ハードディスク３４の音楽データ記憶領域３４ｃから１番目の楽曲の音楽信号のディジタルデータの読み取りを開始し（ステップＳ８１´）、録音圧縮型式に応じた伸長処理（非圧縮の場合は伸長処理はしない）、圧縮で欠落した信号のサンプルデータを補正可能な場合に圧縮音楽補正処理をし（圧縮で欠落した信号のサンプルデータを補正不能な場合と、非圧縮の場合は補正処理をしない）、最後に音楽ジャンルに応じた音質補正データに基づき音質補正処理をして再生した音楽信号のディジタルデータを音声出力部３７へ出力し、アナログ音楽信号に変換して出力させる（ステップＳ９０〜Ｓ９２）。
音楽データ記憶領域３４ｃの先頭の録音楽曲の音楽信号の再生が終われば、ＣＰＵ３９は音楽信号のディジタルデータの読み取りを停止し、再生対象の録音楽曲についてのトラックナンバ、楽曲案内情報、録音圧縮型式の表示を消す（ステップＳ８２´〜Ｓ８４´）。
音楽データ記憶領域３４ｃの他の録音楽曲の再生も同様にして行うことができる。
このようにして、ユーザがハードディスク３４の音楽データ記憶領域３４ｃの録音楽曲を再生させる際に、楽曲毎に一々、音楽ジャンルに合わせた音質補正の切り替え操作をしなくても音楽ジャンルに合わせた最適な音質補正が実現される。
【００４９】
この実施の形態によれば、所望のＣＤをＣＤ−ＲＯＭ読み取り部３０にセットさせると、自動的に楽曲案内情報データベース記憶領域３４ｂと公衆ネットワーク上に設置された楽曲案内情報データベースサーバ２１に対して各楽曲の楽曲案内情報の検索され、楽曲の再生時に音楽ジャンルに最適な音質補正が自動的に掛けられるので、ユーザが一々再生楽曲毎に音楽ジャンルに合わせた音質補正の切り替え操作をしなくても済む。公衆ネットワーク上に設置された楽曲案内情報データベースサーバ２１に対して検索して得た各楽曲の楽曲案内情報は楽曲案内情報データベース記憶領域３４ｂにＣＤ固有の識別情報と対応付けて追加登録されるので、同じＣＤを次に再生させる場合、公衆ネットワーク２０に再度接続する必要が無くなる。また、マニュアル入力で楽曲案内情報を楽曲案内情報データベース記憶領域３４ｃに追加登録することもできるので、楽曲案内情報データベースサーバ２１に対する検索に失敗したときにも対応できる。
【００５０】
ＣＤからハードディスク３４の音楽データ記憶領域３４ｃへ楽曲単位で音楽信号のデータを録音する場合、音楽信号のディジタルデータとともに楽曲案内情報が対応付けて一緒に記録され、ハードディスク３４の所望録音楽曲の再生時に、音楽信号のディジタルデータに対応付けられた音楽ジャンルを用いて音楽ジャンルに最適な音質補正が自動的に掛けられる。ユーザがハードディスクの録音楽曲の再生時に、一々音楽ジャンルに合わせた音質補正の切り替え操作をしなくても済む。ＣＤをＣＤ−ＲＯＭ読み取り部３０にセットしたあとの検索で、ＣＤの全部または幾つかの楽曲について、音楽ジャンルの検索が出来なかった場合でも、ＣＤの或る楽曲をハードディスク３４に録音したい場合、ユーザが当該楽曲の少なくとも音楽ジャンルをマニュアル入力しておけば、所望楽曲の音楽信号のディジタルデータに対応付けて音楽ジャンルを一緒にハードディスク３４に記録させることができ、あとで当該録音楽曲を再生させる度に一々音楽ジャンルに合わせた音質補正の切り替え操作をしなくても済む。
【００５１】
なお、上記した各実施の形態では、楽曲の音楽信号のディジタルデータと管理情報の記録済の記録媒体としてＣＤを例に挙げたが、ＤＶＤ（ディジタルバーサタイルディスク）オーディオの如く、他の種類の媒体にも同様に適用することができる。
また、録音対象としてハードディスクで構成された大容量記録媒体を例に挙げたが、ＣＤ−Ｒ、ＤＶＤ−ＲＡＭ、ＤＶＤ−Ｒ、半導体メモリカードなどを用いても良い。
また、楽曲案内情報の検索キーとして、ＣＤ固有の識別情報ＩＤ（ＣＤ）を用いたが、ＣＤの楽曲単位の固有の識別情報ＩＤ（ＣＤ−ＴＮＯ）を用いてもよい、識別情報ＩＤ（ＣＤ−ＴＮＯ）はＣＤ固有の識別情報ＩＤ（ＣＤ）の最後にトラックナンバを付加することで簡単に作成できる。ＣＤが複数の楽曲を含む場合、楽曲案内情報データベース記憶部１１または楽曲案内情報データベースサーバ２１を対象にして１楽曲分ずつ検索することで、ＣＤの全楽曲の楽曲案内情報を入手できる。
また、図１中の圧縮音楽補正部１７を省略するようにしたり、図１４中のステップＳ９１の処理を省略するようにしても良い。
【００５２】
また、上記した各実施の形態では、再生楽曲の音楽ジャンルに最適な音質補正を行うようにしたが、図１の第１の実施の形態において、音質補正部を音場補正部に置き換え、内部メモリには音楽ジャンル別の最適な音場補正データ（残響時間データ、残響音量データなど）を記憶しておき、図３のステップＳ３５、Ｓ４５、図５のステップＳ８０に「音質補正」とあるのを「音場補正」と変えることで、再生楽曲の音楽ジャンルに対応する音場補正データを読み出し、音場補正部に設定するようにして、ユーザが音楽ジャンルの選択操作をしなくても再生楽曲に最適な音場補正（残響時間、残響音量などの最適化）が自動的に掛かるようにしたり、図１０の第２の実施の形態において、再生・録音プログラムに音楽ジャンル別の最適な音場補正データを含めておき、図１２のステップＳ３５´、Ｓ４５´、図１４のステップＳ９２に「音質補正」とあるのを「音場補正」と変えることで、再生楽曲の音楽ジャンルに対応する音場補正データを用いて、音楽信号に対する音場補正処理を行うようにして、ユーザが音楽ジャンルの選択操作をしなくても再生楽曲に最適な音場補正が自動的に掛かるようにしても良い。
【００５３】
【発明の効果】
本発明によれば、１または複数の楽曲の音楽信号が記録済の記録媒体に基づき、自動的に楽曲案内情報データベースに対して各楽曲の楽曲案内情報が検索され、楽曲の再生時に音楽ジャンルに最適な音質または音場の補正が自動的に掛けられるので、ユーザが一々再生楽曲毎に音楽ジャンルに合わせた音質補正の切り替え操作をしなくても済む。
また、他の発明によれば、１または複数の楽曲の音楽信号が記録済の記録媒体から他の記録媒体に所望楽曲を記録する際に、音楽ジャンル情報を一緒に記録するようにしたので、当該他の記録媒体の録音楽曲を再生する場合にも、音楽ジャンルに最適な音質または音場の補正を自動的に掛けることが可能となり、ユーザが一々当該他の記録媒体の録音楽曲を再生する度に、録音楽曲の音楽ジャンルに合わせた音質補正の切り替え操作をしなくても済む。
また、他の発明によれば、音楽信号に音楽ジャンル情報が対応付けて記録された記録媒体を再生する際、音楽ジャンルに最適な音質または音場の補正を自動的に掛けるようにしたので、ユーザが一々記録媒体の楽曲を再生する度に、楽曲の音楽ジャンルに合わせた音質補正の切り替え操作をしなくても済む。
【図面の簡単な説明】
【図１】本発明の第１の実施の形態に係るオーディオ機器の構成を示すブロック図である。
【図２】図１中のコントロール部によるＣＤの再生・録音制御処理を示すフローチャートである。
【図３】図１中のコントロール部によるＣＤの再生・録音制御処理を示すフローチャートである。
【図４】図１中のコントロール部によるＣＤの再生・録音制御処理を示すフローチャートである。
【図５】図１中のコントロール部による録音楽曲の再生制御処理を示すフローチャートである。
【図６】図１中の楽曲案内情報データベース記憶部の記憶内容の説明図である。
【図７】図１中の楽曲案内情報データベース装置の記憶内容の説明図である。
【図８】図１中の表示部の表示例の説明図である。
【図９】図１中の表示部の表示例の説明図である。
【図１０】本発明の第２の実施の形態に係るパーソナルコンピュータの構成を示すブロック図である。
【図１１】図１０中のＣＰＵによるＣＤの再生・録音処理を示すフローチャートである。
【図１２】図１０中のＣＰＵによるＣＤの再生・録音処理を示すフローチャートである。
【図１３】図１０中のＣＰＵによるＣＤの再生・録音処理を示すフローチャートである。
【図１４】図１０中のＣＰＵによる録音楽曲の再生処理を示すフローチャートである。
【図１５】オーディオ機器の構成例を示すブロック図である。
【符号の説明】
１１、１２、１３、・・　ＣＤ　　　２　ＣＤ再生部
５　アンプ部　　　　　　　　　　　６　スピーカ
７Ａ、３３　キー入力部　　　　　　８Ａ　コントロール部
９Ａ　内部メモリ　　　　　　　　　１０　音質補正部
１１　楽曲案内情報データベース記憶部
１２、３５　表示部　　　　　　　　１３　大容量記録媒体
１６　記録・読み取り部　　　　　　１８　スイッチ
１９、３８　通信部　　　　　　　　２０　公衆ネットワーク
２１　楽曲案内情報データベースサーバ
２２　楽曲案内情報データベース装置
３０　ＣＤ−ＲＯＭ読み取り部　　　３１　トレイ
３２　ローディング部　　　　　　　３４　ハードディスク
３４ａ　プログラム格納領域
３４ｂ　楽曲案内情報データベース記憶領域
３４ｃ　音楽データ記憶領域　　　　３６　メモリ
３７　音声出力部　　　　　　　　　１００　ＣＤ−ＲＯＭ
３００　パーソナルコンピュータ
【図１】
2004071128.tif 000003
【図２】
2004071128.tif 000004
【図３】
2004071128.tif 000005
【図４】
2004071128.tif 000006
【図５】
2004071128.tif 000007
【図６】
2004071128.tif 000008
【図７】
2004071128.tif 000009
【図８】
2004071128.tif 000010
【図９】
2004071128.tif 000011
【図１０】
2004071128.tif 000012
【図１１】
2004071128.tif 000013
【図１２】
2004071128.tif 000014
【図１３】
2004071128.tif 000015
【図１４】
2004071128.tif 000016
【図１５】
2004071128.tif 000017